(57)【要約】    【課題】  より均一性に優れた面発光装置用の導光板と面発光装置を提供する。    【解決手段】  発光面と入射端面とを有し、前記入射端面から入射される光源からの光を前記発光面から出力する面発光装置用の導光板であって、  前記入射端面は複数の切り欠きプリズムからなり入射された光を拡散させる入光部を有し、その入光部において、外側で隣接する２つの切り欠きプリズムの間隔を内側で隣接する２つの切り欠きプリズムの間隔と異なるようにした。さらに、入光部において、外側で隣接する２つの切り欠きプリズムの間隔を内側で隣接する２つの切り欠きプリズムの間隔より広くした。【選択図】図１
2005071971.tif 000002
【特許請求の範囲】
【請求項１】
発光面と入射端面とを有し、前記入射端面から入射される光源からの光を前記発光面から出力する面発光装置用の導光板であって、
前記入射端面は複数の切り欠きプリズムからなり入射された光を拡散させる入光部を有し、その入光部において、外側で隣接する２つの切り欠きプリズムの間隔を内側で隣接する２つの切り欠きプリズムの間隔と異なるようにしたことを特徴とする面発光装置用の導光板。
【請求項２】
前記入光部において、外側で隣接する２つの切り欠きプリズムの間隔を内側で隣接する２つの切り欠きプリズムの間隔より広くした請求項１記載の面発光装置用の導光板。
【請求項３】
前記切り欠きプリズムは、前記入射端面において三角柱形状に形成された切り欠きからなる請求項１又は２記載の面発光装置用の導光板。
【請求項４】
前記切り欠きプリズムは、前記入射端面において三角錐形状に形成された切り欠きからなる請求項１又は２記載の面発光装置用の導光板。
【請求項５】
前記複数の切り欠きプリズムのうちの前記入光部の中央に位置する中央切り欠きプリズムを除く離隔切り欠きプリズムは、前記中央切り欠きプリズムから離れた側に位置する外側入射面と前記中央切り欠きプリズムの近い側に位置する内側入射面とを有し、前記外側入射面と前記入射端面とのなす角度は前記中央切り欠きプリズムから離れて位置する離隔切り欠きプリズムほど大きくなるように設定され、前記内側入射面と前記入射端面とのなす角度は前記中央切り欠きプリズムから離れて位置する離隔切り欠きプリズムほど小さくなるように設定された請求項１〜４のうちのいずれか１つに記載の面発光装置用の導光板。
【請求項６】
前記入光部において、隣接する２つの切り欠きプリズム間の平坦部が、発光中心と対向して前記入光部の中央に配され、前記平坦部から離れて位置する離隔切り欠きプリズムほど、前記平坦部から離れた側に位置する外側入射面と前記入射端面とのなす角度が大きくなるように設定され、前記平坦部から離れて位置する離隔切り欠きプリズムほど、前記内側入射面と前記入射端面とのなす角度が小さくなるように設定された請求項１〜４のうちのいずれか１つに記載の面発光装置用の導光板。
【請求項７】
前記複数の切り欠きプリズムのうちの、前記入光部の中央に位置する中央切り欠きプリズムを除く離隔切り欠きプリズムは、前記中央切り欠きプリズムから離れた側に位置する外側入射面と前記中央切り欠きプリズムの近い側に位置する内側入射面とを有し、前記中央切り欠きプリズムから離れて位置する離隔切り欠きプリズムほど前記外側入射面と前記内側入射面とによる頂部の角度が小さくなるように設定された請求項１〜４のいずれか１つに記載の面発光装置用の導光板。
【請求項８】
前記複数の切り欠きプリズムのうちの、前記入光部の中央に位置する中央切り欠きプリズムを除く離隔切り欠きプリズムは、前記中央切り欠きプリズムから離れた側に位置する外側入射面と前記中央切り欠きプリズムの近い側に位置する内側入射面とを有し、前記中央切り欠きプリズムから離れて位置する離隔切り欠きプリズムほど前記外側入射面と前記内側入射面とによる頂部の角度が大きくなるように設定された請求項１〜４のいずれか１つに記載の面発光装置用の導光板。
【請求項９】
前記入光部において、隣接する２つの切り欠きプリズム間の平坦部が、発光中心と対向して前記入光部の中心に配され、前記複数の切り欠きプリズムは、前記平坦部から離れた側に位置する外側入射面と前記平坦部から近い側に位置する内側入射面とを有し、前記平坦部から離れて位置する離隔切り欠きプリズムほど前記外側入射面と前記内側入射面とによる頂部の角度が小さくなるように設定された請求項１〜４のいずれか１つに記載の面発光装置用の導光板。
【請求項１０】
前記入光部において、隣接する２つの切り欠きプリズム間の平坦部が、発光中心と対向して前記入光部の中心に配され、前記複数の切り欠きプリズムは、前記平坦部から離れた側に位置する外側入射面と前記平坦部から近い側に位置する内側入射面とを有し、前記平坦部から離れて位置する離隔切り欠きプリズムほど前記外側入射面と前記内側入射面とによる頂部の角度が大きくなるように設定された請求項１〜４のいずれか１つに記載の面発光装置用の導光板。
【請求項１１】
前記複数の切り欠きプリズムのうちの前記入光部の中央に位置する中央切り欠きプリズムを除く離隔切り欠きプリズムは、前記中央切り欠きプリズムの相似形状からなり、前記中央切り欠きプリズムから離れて位置する離隔切り欠きプリズムほど小さくなるように設定された請求項１〜４のいずれか１つに記載の面発光装置用の導光板。
【請求項１２】
前記複数の切り欠きプリズムのうちの前記入光部の中央に位置する中央切り欠きプリズムを除く離隔切り欠きプリズムは、前記中央切り欠きプリズムの相似形状からなり、前記中央切り欠きプリズムから離れて位置する離隔切り欠きプリズムほど大きくなるように設定された請求項１〜４のいずれか１つに記載の面発光装置用の導光板。
【請求項１３】
前記複数の切り欠きプリズムのうちの前記入光部の中央に位置する中央切り欠きプリズムの開口部の幅と前記中央切り欠きプリズムと隣りあう離隔切り欠きプリズムとの間隔が、略同一となるよう設定された請求項１〜４のいずれか１つに記載の面発光装置用の導光板。
【請求項１４】
前記複数の切り欠きプリズムのうちの前記入光部の中央に位置する中央切り欠きプリズムの開口部の幅は、前記中央切り欠きプリズムと隣りあう離隔切り欠きプリズムとの間隔より小さくなるよう設定された請求項１〜４のいずれか１つに記載の面発光装置用の導光板。
【請求項１５】
前記入光部において、前記複数の切り欠きプリズムの間隔が、前記入光部の中央から左右対称に設定された請求項１〜１４のいずれか１つに記載の面発光装置用の導光板。
【請求項１６】
発光面と入射端面とを有し、前記入射端面から入射される光源からの光を前記発光面から出力する面発光装置用の導光板であって、
前記入射端面は複数の切り欠きプリズムからなり入射された光を拡散させる入光部を有し、前記入光部の中央に位置する中央切り欠きプリズムを除く切り欠きプリズムは、前記中央プリズムから離れた側に位置する外側入射面と前記中央プリズムに近い側に位置する内側入射面とによる頂部の角度が、前記中央切り欠きプリズムを中心とし、左右両側に変化することを特徴とする面発光装置用の導光板。
【請求項１７】
前記入光部において、前記入光部の中央に位置する中央切り欠きプリズムを除く切り欠きプリズムは、前記中央切り欠きプリズムから離れるにしたがって前記外側入射面と前記内側入射面とによる頂部の角度が、左右両側に大きくなるように設定された請求項１６に記載の面発光装置用の導光板。
【請求項１８】
発光面と入射端面とを有し、前記入射端面から入射される光源からの光を前記発光面から出力する面発光装置用の導光板であって、前記入射端面は複数の切り欠きプリズムからなり、入射された光を拡散させる入光部を有し、前記入光部の中央には平坦部が設けられており、前記平坦部から離れるにしたがって、前記複数の切り欠きプリズムの前記平坦部から離れた側に位置する外側入射面と前記平坦部から近い側に位置する内側入射面とによる頂部の角度が、左右両側に変化することを特徴とする面発光装置用の導光板。
【請求項１９】
前記入光部において、平坦部から離れるにしたがって、前記複数の切り欠きプリズムの前記外側入射面と前記内側入射面とによる頂部の角度が、左右両側に大きくなるように設定された請求項１８に記載の面発光装置用の導光板。
【請求項２０】
発光面と入射端面とを有し、前記入射端面から出射される光源からの光を前記発光面から出力する面発光装置用の導光板であって、
前記入射端面は複数の切り欠きプリズムからなり入射された光を拡散させる入光部を有し、前記入光部の中央に位置する中央切り欠きプリズムを除く切り欠きプリズムは、前記中央切り欠きプリズムの相似形状からなることを特徴とする面発光装置用の導光板。
【請求項２１】
前記複数の切り欠きプリズムは、前記中央切り欠きプリズムから離れて位置する切り欠きプリズムほど小さくなるように設定された請求項２０に記載の面発光装置用の導光板。
【請求項２２】
前記複数の切り欠きプリズムは、前記中央切り欠きプリズムから離れて位置する切り欠きプリズムほど大きくなるように設定された請求項２０に記載の面発光装置用の導光板。
【請求項２３】
発光面と入射端面とを有し、前記入射端面から入射される光源からの光を前記発光面から出力する面発光装置用の導光板であって、
前記入射端面は複数の切り欠きプリズムからなり入射された光を拡散させる入光部を有し、前記入光部の中央は平坦部が設けられており、前記複数の切り欠きは各々が相似形状からなることを特徴とする面発光装置用の導光板。
【請求項２４】
前記複数の切り欠きプリズムは、前記平坦部から離れて位置する切り欠きプリズムほど小さくなるように設定された請求項２３に記載の面発光装置用の導光板。
【請求項２５】
前記複数の切り欠きプリズムは、前記平坦部から離れて位置する切り欠きプリズムほど大きくなるように設定された請求項２３に記載の面発光装置用の導光板。
【請求項２６】
前記入光部において、前記複数の切り欠きプリズムが、前記入光部の中央から左右対称に設定された請求項１６〜２５のうちのいずれか１つに記載の面発光装置用の導光板。
【請求項２７】
前記複数の切り欠きプリズムは、隣りあう２つの切り欠きプリズムが離隔して形成されている請求項１６〜２６のうちのいずれか１つに記載の面発光装置用の導光板。
【請求項２８】
光源と、発光面と入射端面とを有し前記入射端面から入射される光源からの光を前記発光面から出力する導光板とを備えた面発光装置であって、
前記入射端面は複数の切り欠きプリズムからなり入射された光を拡散させる入光部を有し、その入光部において、外側で隣接する２つの切り欠きプリズムの間隔を内側で隣接する２つの切り欠きプリズムの間隔と異なるようにしたことを特徴とする面発光装置。
【請求項２９】
前記入光部において、外側で隣接する２つの切り欠きプリズムの間隔を内側で隣接する２つの切り欠きプリズムの間隔より広くした請求２８記載の面発光装置。
【請求項３０】
前記切り欠きプリズムは、前記入射端面において三角柱形状に形成された切り欠きからなる請求項２８又は２９記載の面発光装置。
【請求項３１】
前記切り欠きプリズムは、前記入射端面において三角錐形状に形成された切り欠きからなる請求項２８又は２９記載の面発光装置。
【請求項３２】
前記複数の切り欠きプリズムのうちの前記入光部の中央に位置する中央切り欠きプリズムを除く離隔切り欠きプリズムは、前記中央切り欠きプリズムかられた側に位置する外側入射面と前記中央切り欠きプリズムの近い側に位置する内側入射面とを有し、前記外側入射面と前記入射端面とのなす角度は前記中央切り欠きプリズムから離れて位置する離隔切り欠きプリズムほど大きくなるように設定され、前記内側入射面と前記入射端面とのなす角度は前記中央切り欠きプリズムから離れて位置する離隔切り欠きプリズムほど小さくなるように設定された請求項２８〜３１のうちのいずれか１つに記載の面発光装置。
【請求項３３】
前記入光部において、前記複数の切り欠きプリズムが、前記入光部の中央から左右対称に設定された請求項２８〜３２のうちのいずれか１つに記載の面発光装置用の導光板。
【請求項３４】
光源と、発光面と入射端面とを有し前記入射端面から入射される光源からの光を前記発光面から出力する導光板とを備えた面発光装置であって、
前記入射端面は複数の切り欠きプリズムからなり入射された光を拡散させる入光部を有し、前記複数の切り欠きプリズムは外側入射面と内側入射面とによる頂部の角度が前記入光部の中央に配された中央切り欠きプリズムの頂部の角度と異なるように設定された面発光装置。
【請求項３５】
前記複数の切り欠きプリズムの頂部の角度の各々が、他の切り欠きプリズムの頂部の角度と異なるように設定された請求項３４に記載の面発光装置。
【請求項３６】
前記中央切り欠きプリズムを中心として一方の側の切り欠きプリズムの頂部の角度が他方の側の対応する切り欠きプリズムの頂部の角度と同一となるように設定された請求項３４または３５に記載の面発光装置。
【請求項３７】
光源と、発光面と入射端面とを有し前記入射端面から入射される光源からの光を前記発光面から出力する導光板とを備えた面発光装置であって、
前記入射端面は複数の切り欠きプリズムからなり入射された光を拡散させる入光部を有し、前記入光部の中央に配された平坦部の一方の側において、前記切り欠きプリズムの外側入射面と内側入射面とによる頂部の角度がそれぞれ異なるように設定された面発光装置。
【請求項３８】
前記入光部において、前記平坦部の一方の側における切り欠きプリズムの頂部の角度が、前記平坦部の他方の側における対応する切り欠きプリズムの頂部の角度と同一となるように設定された請求項３７に記載の面発光装置。
【請求項３９】
光源と、発光面と入射端面とを有し前記入射端面から入射される光源からの光を前記発光面から出力する導光板とを備えた面発光装置であって、
前記入射端面は複数の切り欠きプリズムからなり入射された光を拡散させる入光部を有し、前記複数の切り欠きプリズムは外側入射面と内側入射面とによる頂部の角度が前記入光部の中央に配された中央切り欠きプリズムの頂部の角度と同一となり、それぞれの切り欠きプリズムの高さが異なるように設定された面発光装置。
【請求項４０】
前記切り欠きプリズムの高さは、前記中央切り欠きプリズムから離れて位置する切り欠きプリズムほど大きくなるように設定された請求項３９に記載の面発光装置。
【請求項４１】
前記切り欠きプリズムの高さは、前記中央切り欠きプリズムから離れて位置する切り欠きプリズムほど小さくなるように設定された請求項  ３９に記載の面発光装置。
【請求項４２】
前記中央切り欠きプリズムを中心として一方の側の切り欠きプリズムの頂部の角度が他方の側の対応する切り欠きプリズムの頂部の角度と同一となるように設定された請求項３９〜４１のうちのいずれか１つに記載の面発光装置。
【請求項４３】
光源と、発光面と入射端面とを有し前記入射端面から入射される光源からの光を前記発光面から出力する導光板とを備えた面発光装置であって、
前記入射端面は複数の切り欠きプリズムからなり入射された光を拡散させる入光部を有し、前記入光部の中央に配された平坦部の両側において、前記複数の切り欠きプリズムの外側入射面と内側入射面とによる頂部の角度がそれぞれ同一であり、複数の切り欠きプリズムは各々が異なる高さからなるように設定された面発光装置。
【請求項４４】
前記切り欠きプリズムの高さは、前記平坦部から離れて位置する切り欠きプリズムほど大きくなるように設定された請求項４３に記載の面発光装置。
【請求項４５】
前記切り欠きプリズムの高さは、前記平坦部から離れて位置する切り欠きプリズムほど小さくなるように設定された請求項４３に記載の面発光装置。
【請求項４６】
前記入光部において、前記平坦部の一方の側における切り欠きプリズムの頂部の角度が、前記平坦部の他方の側における対応する切り欠きプリズムの頂部の角度と同一となるように設定された請求項４３〜４５のうちのいずれか１つに記載の面発光装置。
【請求項４７】
前記複数の切り欠きプリズムは、隣りあう２つの切り欠きプリズムが離隔して形成されている請求項２８〜４６のうちのいずれか１つに記載の面発光装置
【請求項４８】
前記光源は、発光ダイオードである請求項１〜４７のうちのいずれか１つに記載の面発光装置。
【発明の詳細な説明】
【技術分野】
【０００１】
本発明は、点光源であるＬＥＤ素子からの光を導光板の入射端面より入射させ、導光板の内部を伝搬させて、表面全体から出射させることで、面状に発光させる面発光装置の導光板と面発光装置に関する。
【背景技術】
【０００２】
近年、液晶バックライトなどの光源として、点光源であるＬＥＤ素子からの光を面状に発光させる面発光装置が用いられている。この発光装置は、導光板の光入射端面から発光ダイオードからの光を入射しその導光板の発光面全体から光を出射させるように構成される。この発光装置においては、その光出射面から均一に光を出力することが重要であり、この均一性を実現するために種々の構造が提案されている。この均一性を実現するためような面発光装置の一例は、例えば、特許文献１に開示されている。
【０００３】
この特許文献１に開示された面発光装置は、導光板に特徴があるものであって、その請求項１には、「光源からの光を導光体の第１の主面から出射させる発光装置において、導光体は、光源の発光部の出射面と対向する一端面に互いに異なる形状の複数の切り欠きを有すると共に、複数の切り欠きはそれぞれ発光部の出射面と対向する面の中央から遠ざかるにしたがって導光体の一端面とのなす角度が大きくなる第１の面と、発光部の出射面と対向する面の中央から遠ざかるにしたがって導光体の一端面とのなす角度が小さくなる第２の面とを有することを特徴とする。」と記載されている。
【０００４】
【特許文献１】特開２００２−４２５３４号公報
【発明の開示】
【発明が解決しようとする課題】
【０００５】
しかしながら、面発光装置が広く用いられるようになった現在において、よりいっそう均一面発光が求められている。
そこで、本発明は、より均一性に優れた面発光装置用の導光板と面発光装置を提供することを目的とする。
【課題を解決するための手段】
【０００６】
本発明に係る面発光装置用の導光板は、発光面と入射端面とを有し、前記入射端面から入射される光源からの光を前記発光面から出力する面発光装置用の導光板であって、前記入射端面は複数の切り欠きプリズムからなり入射された光を拡散させる入光部を有し、その入光部において、外側で隣接する２つの切り欠きプリズムの間隔を内側で隣接する２つの切り欠きプリズムの間隔と異なるようにしたことを特徴とする。
【０００７】
また、本発明に係る面発光装置用の導光板では、前記入光部において、外側で隣接する２つの切り欠きプリズムの間隔を内側で隣接する２つの切り欠きプリズムの間隔より広くすることが好ましい。
このように構成された本発明に係る面発光装置の導光板は、隣接する２つの切り欠きプリズムのうちの内側に位置する切り欠きプリズムの外側入射面から入射した光が、外側に位置する切り欠きプリズムの内側入射面で反射される割合を小さくでき、より効果的に入射された光を拡散できる。
【０００８】
また、本発明に係る面発光装置の導光板において、前記切り欠きプリズムは、前記入射端面において三角柱形状に形成された切り欠きであってもよいし、三角錐形状に形成された切り欠きであってもよい。
【０００９】
また、本発明に係る面発光装置の導光板において、入射された光をよりいっそう効果的に拡散させるために、前記複数の切り欠きプリズムのうちの前記入光部の中央に位置する中央切り欠きプリズムを除く離隔切り欠きプリズムは、前記中央切り欠きプリズムから離れた側に位置する外側入射面と前記中央切り欠きプリズムの近い側に位置する内側入射面とを有し、前記外側入射面と前記入射端面とのなす角度は前記中央切り欠きプリズムから離れて位置する離隔切り欠きプリズムほど大きくなるように設定され、前記内側入射面と前記入射端面とのなす角度は前記中央切り欠きプリズムから離れて位置する離隔切り欠きプリズムほど小さくなるように設定されていることが好ましい。
【００１０】
また、前記入光部において、隣接する２つの切り欠きプリズム間の平坦部が、発光中心と対向して配され、前記平坦部から離れて位置する離隔切り欠きプリズムほど、前記平坦部から離れた側に位置する外側入射面と前記入射端面とのなす角度が大きくなるように設定され、前記平坦部から離れて位置する離隔切り欠きプリズムほど、前記内側入射面と前記入射端面とのなす角度が小さくなるように設定されてもよい。
このように構成された本発明に係る面発光装置の導光板は、平坦部が発光中心と対向して配置されていることから、光源からの出射光を光軸方向及び光軸に対して略垂直な方向（導光板の幅方向）へ、より均等に配することも可能となる。
【００１１】
また、本発明に係る導光板は、前記複数の切り欠きプリズムのうちの、前記入光部の中央に位置する中央切り欠きプリズムを除く離隔切り欠きプリズムは、前記中央切り欠きプリズムから離れた側に位置する外側入射面と前記中央切り欠きプリズムの近い側に位置する内側入射面とを有し、前記中央切り欠きプリズムから離れて位置する離隔切り欠きプリズムほど前記外側入射面と前記内側入射面とによる頂部の角度が小さくなるように設定されてもよい。
このように構成された本発明に係る面発光装置の導光板は、発光中心と対向する入光部の中心から離れるにしたがって外側入光面と内側入光面とのなす角度が小さくなり、光が外側入射面の垂線より、下方（入光部の中心からより離れた入射端面側）から入射することから、より導光板の幅方向へ光を屈折させて拡げることができる。
【００１２】
また、本発明に係る導光板は、前記複数の切り欠きプリズムのうちの、前記入光部の中央に位置する中央切り欠きプリズムを除く離隔切り欠きプリズムは、前記中央切り欠きプリズムから離れた側に位置する外側入射面と前記中央切り欠きプリズムの近い側に位置する内側入射面とを有し、前記中央切り欠きプリズムから離れて位置する離隔切り欠きプリズムほど前記外側入射面と前記内側入射面とによる頂部の角度が大きくなるように設定されてもよい。
このように構成された本発明に係る面発光装置の導光板は、入光部の複数の切り欠きプリズムの外側入射面と内側入射面とのなす角度が発光中心と対向する入光部の中心から離れるにしたがって大きくなることから、プリズムの高さは小さくなり、光の導光板幅方向への進行を妨げることがないため、より導光板の幅方向へ拡げることができる。
【００１３】
また、本発明に係る導光板は、前記入光部において、隣接する２つの切り欠きプリズム間の平坦部が、発光中心と対向して配され、前記複数の切り欠きプリズムは、前記平坦部から離れた側に位置する外側入射面と前記平坦部から近い側に位置する内側入射面とを有し、前記平坦部から離れて位置する離隔切り欠きプリズムほど前記外側入射面と前記内側入射面とによる頂部の角度が小さくなるように設定されてもよい。
このように構成された本発明に係る面発光装置の導光板は、入光部において光源から垂直に入射される光については、光軸方向の先端部にまで充分光を導くことができると共に、より光を導光板の幅方向へ拡げることができる。
【００１４】
また、本発明に係る導光板は、前記入光部において、隣接する２つの切り欠きプリズム間の平坦部が、発光中心と対向して配され、前記複数の切り欠きプリズムは、前記平坦部から離れた側に位置する外側入射面と前記平坦部から近い側に位置する内側入射面とを有し、前記平坦部から離れて位置する離隔切り欠きプリズムほど前記外側入射面と前記内側入射面とによる頂部の角度が大きくなるように設定されてもよい。
このように構成された本発明に係る面発光装置の導光板は、入光部において光源から垂直に入射される光については、光軸方向の先端部にまで充分光を導くことができると共に、発光中心により近い切り欠きプリズムによって導光板幅方向へ向けられた光が、光源からより離れた切り欠きプリズムによって、妨げられることなく光を拡げることができる。
【００１５】
また、本発明に係る導光板は、前記複数の切り欠きプリズムのうちの、前記入光部の中央に位置する中央切り欠きプリズムを除く離隔切り欠きプリズムは、前記中央切り欠きプリズムの相似形状からなり、前記中央切り欠きプリズムから離れて位置する離隔切り欠きプリズムほど小さくなるように設定されてもよい。
このように構成された本発明に係る面発光装置の導光板は、複数の切り欠きプリズムがそれぞれ相似形状からなり、発光中心と対向する中央切り欠きプリズムから遠ざかるにしたがって、小さくなることから、中央切り欠きプリズムなどの光源からより近くに位置する切り欠きプリズムによって導光板幅方向に進行した光が、光源からより遠くに位置する切り欠きプリズムによって妨げられることがないため、光を暗部にまで拡げることができる。
【００１６】
また、本発明に係る導光板は、前記複数の切り欠きプリズムのうちの、前記入光部の中央に位置する中央切り欠きプリズムを除く離隔切り欠きプリズムは、前記中央切り欠きプリズムの相似形状からなり、前記中央切り欠きプリズムから離れて位置する離隔切り欠きプリズムほど大きくなるように設定されてもよい。
このように構成された本発明に係る面発光装置の導光板は、複数の切り欠きプリズムがそれぞれ相似形状からなり、発光中心と対向する中央切り欠きプリズムから遠ざかるにしたがって、大きくなることから、中央切り欠きプリズムから離れた切り欠きプリズムの外側入射面に入射する光量が多くなるため、より光を広げることができる。
【００１７】
また、本発明に係る導光板は、前記複数の切り欠きプリズムのうちの前記入光部の中央に位置する中央切り欠きプリズムの開口部の幅と前記中央切り欠きプリズムと隣りあう離隔切り欠きプリズムとの間隔が、略同一となるよう設定されてもよい。
さらに、本発明に係る導光板は、前記複数の切り欠きプリズムのうちの前記入光部の中央に位置する中央切り欠きプリズムの開口部の幅は、前記中央切り欠きプリズムと隣りあう離隔切り欠きプリズムとの間隔より小さくなるよう設定されてもよい。
このように構成された本発明に係る面発光装置の導光板は、さらに効果的に均一な面発光を実現することができる。
【００１８】
また、本発明に係る導光板は、前記入光部において、前記複数の切り欠きプリズムの間隔が、前記入光部の中央から左右対称に設定されてもよい。
このように構成された本発明に係る面発光装置の導光板は、均一な面発光を得ることができる。
【００１９】
また、本発明に係る導光板は、発光面と入射端面とを有し、前記入射端面から入射される光源からの光を前記発光面から出力する面発光装置用の導光板であって、前記入射端面は複数の切り欠きプリズムからなり入射された光を拡散させる入光部を有し、前記入光部の中央に位置する中央切り欠きプリズムを除く切り欠きプリズムは、前記中央プリズムから離れた側に位置する外側入射面と前記中央プリズムに近い側に位置する内側入射面とによる頂部の角度が、前記中央切り欠きプリズムを中心とし、左右両側に変化することを特徴とする。
特に前記入光部において、前記入光部の中央に位置する中央切り欠きプリズムを除く切り欠きプリズムは、前記中央切り欠きプリズムから離れるにしたがって前記外側入射面と前記内側入射面とによる頂部の角度が、左右両側に大きくなるように設定されていると、中央切り欠きプリズムに入射した光などがその他の切り欠きプリズムによって反射されることを防ぐことができるため好ましい。
【００２０】
また、本発明に係る導光板は、発光面と入射端面とを有し、前記入射端面から入射される光源からの光を前記発光面から出力する面発光装置用の導光板であって、前記入射端面は複数の切り欠きプリズムからなり、入射された光を拡散させる入光部を有し、前記入光部の中央には平坦部が設けられており、前記平坦部から離れるにしたがって、前記複数の切り欠きプリズムの前記平坦部から離れた側に位置する外側入射面と前記平坦部から近い側に位置する内側入射面とによる頂部の角度が、左右両側に変化することを特徴とする。
特に前記入光部において、平坦部から離れるにしたがって、前記複数の切り欠きプリズムの前記外側入射面と前記内側入射面とによる頂部の角度が、左右両側に大きくなるように設定されていると、光を光軸に対して略垂直な方向に拡げるだけでなく、充分な光量を光軸方向へも配分することができるためより均一な面発光を得ることができる。
【００２１】
また、本発明に係る導光板は、発光面と入射端面とを有し、前記入射端面から出射される光源からの光を前記発光面から出力する面発光装置用の導光板であって、前記入射端面は複数の切り欠きプリズムからなり入射された光を拡散させる入光部を有し、前記入光部の中央に位置する中央切り欠きプリズムを除く切り欠きプリズムは、前記中央切り欠きプリズムの相似形状からなることを特徴とする。
特に前記複数の切り欠きプリズムは、前記中央切り欠きプリズムから離れて位置する切り欠きプリズムほど小さくなるように設定されていると、横方向へ向かう光を妨げることなく、光を拡げることができる。
【００２２】
また、特に前記複数の切り欠きプリズムは、前記中央切り欠きプリズムから離れて位置する切り欠きプリズムほど大きくなるように設定されていると、光源から離れて位置する切り欠きプリズムにより多くの光を入射させることができるため、効率よく光を導光板の幅方向へ進行させることができる。
【００２３】
また、本発明に係る導光板は、発光面と入射端面とを有し、前記入射端面から入射される光源からの光を前記発光面から出力する面発光装置用の導光板であって、前記入射端面は複数の切り欠きプリズムからなり入射された光を拡散させる入光部を有し、前記入光部の中央は平坦部が設けられており、前記複数の切り欠きは相似形状からなることを特徴とする。
特に、前記複数の切り欠きプリズムは、前記平坦部から離れて位置する切り欠きプリズムほど小さくなるように設定されていると、光軸方向に直進する光及び導光板幅方向へ拡げられる光によって良好な面発光を得ることができる。
【００２４】
また、特に前記複数の切り欠きプリズムは、前記平坦部から離れて位置する切り欠きプリズムほど大きくなるように設定されていると、光源から離れて位置する切り欠きプリズムにより多くの光を入射させることができるため、効率よく光を導光板の幅方向へ進行させることができる。
【００２５】
また本発明に係る導光板は、前記入光部において、前記複数の切り欠きプリズムが前記入光部の中央から左右対称に設定されてもよい。
このように構成された本発明に係る面発光装置の導光板は、均一な面発光を得ることができる。
【００２６】
また本発明に係る導光板は、前記複数の切り欠きプリズムは、隣りあう２つの切り欠きプリズムが離隔して形成されていると、より均一な面発光を得ることができる。
【００２７】
また、本発明に係る面発光装置は、光源と、発光面と入射端面とを有し前記入射端面から入射される光源からの光を前記発光面から出力する導光板とを備えた面発光装置であって、前記入射端面は複数の切り欠きプリズムからなり入射された光を拡散させる入光部を有し、その入光部において、外側で隣接する２つの切り欠きプリズムの間隔を内側で隣接する２つの切り欠きプリズムの間隔と異なるようにしたことを特徴とする。
【００２８】
また、本発明に係る面発光装置では、前記入光部において、外側で隣接する２つの切り欠きプリズムの間隔を内側で隣接する２つの切り欠きプリズムの間隔より広くすることが好ましい。
このように構成された本発明に係る面発光装置は、効果的に入射された光を拡散できるので、より均一な面発光が可能である。
【００２９】
また、本発明に係る面発光装置において、前記切り欠きプリズムは、前記入射端面において三角柱形状に形成された切り欠きであってもよいし、三角錐形状に形成された切り欠きであってもよい。
【００３０】
また、本発明に係る面発光装置において、よりいっそう均一発光を可能とするために、前記複数の切り欠きプリズムのうちの前記入光部の中央に位置する中央切り欠きプリズムを除く離隔切り欠きプリズムは、前記中央切り欠きプリズムから離れた側に位置する外側入射面と前記中央切り欠きプリズムの近い側に位置する内側入射面とを有し、前記外側入射面と前記入射端面とのなす角度は前記中央切り欠きプリズムから離れて位置する離隔切り欠きプリズムほど大きくなるように設定され、前記内側入射面と前記入射端面とのなす角度は前記中央切り欠きプリズムから離れて位置する離隔切り欠きプリズムほど小さくなるように設定されていることが好ましい。
【００３１】
また、本発明に係る面発光装置において、光源と、発光面と入射端面とを有し前記入射端面から入射される光源からの光を前記発光面から出力する導光板とを備えた面発光装置であって、前記入射端面は複数の切り欠きプリズムからなり入射された光を拡散させる入光部を有し、前記複数の切り欠きプリズムは外側入射面と内側入射面とによる頂部の角度が前記入光部の中央に配された中央切り欠きプリズムの頂部の角度と異なるように設定されてもよい。
このように構成された本発明に係る面発光装置では、例えば中央切り欠きプリズムを他の切り欠きプリズムより小さく設定することで、光軸方向へも十分の光を導くことが可能となる。
【００３２】
また、本発明に係る面発光装置において、前記複数の切り欠きプリズムの頂部の角度の各々が、他の切り欠きプリズムの頂部の角度と異なるように設定されてもよい。
このように構成された本発明に係る面発光装置では、例えば、切り欠きプリズムの頂部の角度を中央切り欠きプリズムから離れて位置する切り欠きプリズムほど大きくすることで光の導光板幅方向への進行を妨げることがないため、均一な面発光を得ることができる。
【００３３】
また、本発明に係る面発光装置において、前記中央切り欠きプリズムを中心として一方の側の切り欠きプリズムの頂部の角度が他方の側の対応する切り欠きプリズムの頂部の角度と同一となるように設定されてもよい。
このように構成された本発明に係る面発光装置では、均一な面発光を得ることができる。
【００３４】
また、本発明に係る面発光装置において、光源と、発光面と入射端面とを有し前記入射端面から入射される光源からの光を前記発光面から出力する導光板とを備えた面発光装置であって、前記入射端面は複数の切り欠きプリズムからなり入射された光を拡散させる入光部を有し、前記入光部の中央に配された平坦部の一方の側において、前記切り欠きプリズムの外側入射面と内側入射面とによる頂部の角度がそれぞれ異なるように設定されたてもよい。
このように構成された本発明に係る面発光装置では、例えば、切り欠きプリズムの頂部の角度を中央切り欠きプリズムから離れて位置する切り欠きプリズムほど大きくすることで導光板幅方向及び光軸方向へ均一に導くことも可能となる。
【００３５】
また、本発明に係る面発光装置において、前記入光部において、前記平坦部の一方の側における切り欠きプリズムの頂部の角度が、前記平坦部の他方の側における対応する切り欠きプリズムの頂部の角度と同一となるように設定されてもよい。
このように構成された本発明に係る面発光装置では、さらに均一な面発光を得ることが可能となる。
【００３６】
また、本発明に係る面発光装置において、光源と、発光面と入射端面とを有し前記入射端面から入射される光源からの光を前記発光面から出力する導光板とを備えた面発光装置であって、前記入射端面は複数の切り欠きプリズムからなり入射された光を拡散させる入光部を有し、前記複数の切り欠きプリズムは外側入射面と内側入射面とによる頂部の角度が前記入光部の中央に配された中央切り欠きプリズムの頂部の角度と同一となり、それぞれの切り欠きプリズムの高さが異なるように設定されてもよい。
このように構成された本発明に係る面発光装置では、例えばそれぞれの切り欠きプリズムを中央切り欠きプリズムの相似形として設定することで、導光板への入射光の調節についても行いやすいものとなる。
【００３７】
また、本発明に係る面発光装置において、前記切り欠きプリズムの高さは、前記中央切り欠きプリズムから離れて位置する切り欠きプリズムほど大きくなるように設定されてもよい。
このように構成された本発明に係る面発光装置では、入光部の光源から離れて位置する切り欠きプリズムにより多くの光を入射させることができる。
【００３８】
また、本発明に係る面発光装置において、前記切り欠きプリズムの高さは、前記中央切り欠きプリズムから離れて位置する切り欠きプリズムほど小さくなるように設定されてもよい。
このように構成された本発明に係る面発光装置では、光源により近い切り欠きプリズムに入射された導光板の幅方向へ向かう光が、光源により遠い切り欠きプリズムによって妨げられることがない。
【００３９】
また、本発明に係る面発光装置において、前記中央切り欠きプリズムを中心として一方の側の切り欠きプリズムの頂部の角度が他方の側の対応する切り欠きプリズムの頂部の角度と同一となるように設定されてもよい。
このように構成された本発明に係る面発光装置では、中央切り欠きプリズムを中心として左右対称に切り欠きプリズムを配することで、光を導光板内において均一に拡げることができる。
【００４０】
また、本発明に係る面発光装置において、光源と、発光面と入射端面とを有し前記入射端面から入射される光源からの光を前記発光面から出力する導光板とを備えた面発光装置であって、前記入射端面は複数の切り欠きプリズムからなり入射された光を拡散させる入光部を有し、前記入光部の中央に配された平坦部の両側において、前記複数の切り欠きプリズムの外側入射面と内側入射面とによる頂部の角度がそれぞれ同一であり、複数の切り欠きプリズムは各々が異なる高さからなるように設定されてもよい。
このように構成された本発明に係る面発光装置では、入光部の中央に平坦部を形成することで、光軸方向へ光を十分に導くことができ、例えばそれぞれの切り欠きプリズムを相似形状に設定することで、導光板への入射光の調節についても行いやすいものとなる。
【００４１】
また、本発明に係る面発光装置において、光源と、発光面と入射端面とを有し前記入射端面から入射される光源からの光を前記発光面から出力する導光板とを備えた面発光装置であって、前記入射端面は複数の切り欠きプリズムからなり入射された光を拡散させる入光部を有し、前記入光部の中央に配された平坦部の両側において、前記複数の切り欠きプリズムの外側入射面と内側入射面とによる頂部の角度がそれぞれ同一であり、複数の切り欠きプリズムは各々が異なる高さからなるように設定されてもよい。
このように構成された本発明に係る面発光装置では、入光部の中央に平坦部を形成することで、光軸方向へ光を十分に導くことができ、また、例えばそれぞれの切り欠きプリズムを中央切り欠きプリズムの相似形として設定することで、導光板への入射光の調節についても行いやすいものとなる。
【００４２】
また、本発明に係る面発光装置において、前記切り欠きプリズムの高さは、前記平坦部から離れて位置する切り欠きプリズムほど大きくなるように設定されてもよい。
このように構成された本発明に係る面発光装置では、入光部の中央に平坦部を形成することで、光軸方向へ光を十分に導くことができ、さらに入光部の光源から離れて位置する切り欠きプリズムにより多くの光を入射させることができる。
【００４３】
また、本発明に係る面発光装置において、前記切り欠きプリズムの高さは、前記平坦部から離れて位置する切り欠きプリズムほど小さくなるように設定されてもよい。
このように構成された本発明に係る面発光装置では、入光部の中央に平坦部を形成することで、光軸方向へ光を十分に導くことができ、さらに光源により近い切り欠きプリズムに入射された導光板の幅方向へ向かう光が、光源により遠い切り欠きプリズムによって妨げられることがない。
【００４４】
また、本発明に係る面発光装置において、前記入光部において、前記平坦部の一方の側における切り欠きプリズムの頂部の角度が、前記平坦部の他方の側における対応する切り欠きプリズムの頂部の角度と同一となるように設定されてもよい。
このように構成された本発明に係る面発光装置では、入光部の中央に形成された平坦部を中心として左右対称に切り欠きプリズムを配することで、光を導光板内において均一に拡げることができる。
【００４５】
また本発明に係る面発光装置は、前記複数の切り欠きプリズムは、隣りあう２つの切り欠きプリズムが離隔して形成されていると、より均一な面発光を得ることができる。
【００４６】
さらに、前記光源は、発光ダイオードであることが好ましい。
【発明の効果】
【００４７】
本発明は、面発光装置用の導光板の入光部において、外側に位置する切り欠きプリズムをプリズム間の間隔が広くなるように設定しているので、入射される光を効果的に拡散させて入光させることができ、発光面の入射端面３近傍に形成される暗部を極めて小さくでき、発光面における均一性を向上させることができる。
また、本発明に係る面発光装置によれば、発光面における均一性の高い面発光装置を提供できる。
【発明を実施するための最良の形態】
【００４８】
以下、図面を参照しながら本発明に係る実施の形態の面発光装置について説明する。
本実施の形態の面発光装置は、光源と、発光面と入射端面とを有し前記入射端面から入射される光源からの光を前記発光面から出力する導光板とを備えた面発光装置であって、導光板に特徴を有するものである。
より具体的には、本実施の形態の面発光装置の導光板は、入射端面３から入射される点光源からの光を発光面全体から均一に発光させるための面発光装置の導光板であって、入光部１２ａ，１２ｂ，１２ｃの構造に特徴を有するものである。
ここで、入光部は、入射端面において光源に対向して設けられ、光源からの光を拡散させて導光板内に入光させるものであり、通常複数の切り欠きプリズムにより構成される。
【００４９】
（実施の形態の導光板の全体構成）
本実施の形態の導光板１は、図１に示すように、一方の主面である発光面１と、入射側端面１１ａとその入射側端面に対向する対向端面１１ｂ、側面１１ｃ，１１ｄを有し、さらに、入射側端面１１ａとは別に入射端面３を有している。この入射端面３は、入射側端面１１ａに形成された光導入部１２の端面によって構成されていて、その入射端面３に入光部１２ａ，１２ｂ，１２ｃが形成される。光導入部１２は、図１に示すように、平面形状が台形に形成されており、入射端面３は、その台形の上底にあたる端面である。
また、光導入部１２は導光板１の主要部に光を拡散させて導入する部分であって、導光板１の発光面１１は入射側端面１１ａと対向端面１１ｂの間に位置する部分で構成される。
尚、本発明の導光板は、図１の構成に限定されず、光導入部１２が形成されていない場合においても、入射側端面１１ａを入射端面とし、この入射側端面１１ａに入光部１２ａ，１２ｂ，１２ｃが直接形成されていても良い。
【００５０】
（入光部１２ａ，１２ｂ，１２ｃ）
本実施の形態の導光板に形成された入光部１２ａ，１２ｂ，１２ｃはそれぞれ、図２に示すように、それぞれ三角柱形状に切りかかれた複数の切り欠きプリズムＰ０，ＰＲｋ（ｋ＝１，２，３・・・ｎ），ＰＬｋ（ｋ＝１，２，３・・・ｍ）によって構成されるものであるが、従来例にない以下の特有の構造とすることにより点光源２から入光される光を発光面１１全体により均一に拡散させることを可能にし、発光面１１において極めて高い均一性を実現している。本実施の形態において、入光部１２ａ，１２ｂ，１２ｃの中心に点光源２の発光中心が配置される。また、導光板の発光面からみた際、入光部１２ａ，１２ｂ，１２ｃの中心に配置される中央切り欠きプリズムＰ０の形状は、二等辺三角形形状や正三角形形状など、光源の指向性等に応じて好適に設定することができる。
尚、切り欠きプリズムの角度や切り欠き深さ、幅、間隔等が決定される、導光板の入射端面における位置は、本発明において限定されない。特に本明細書中では三角柱形状に切りかかれた切り欠きプリズムについて、発光面（上面）における切り欠きプリズムの角度や切り欠き深さ、幅、間隔等を用いて説明する。また、本明細書中における、中央切り欠きプリズムＰ０以外の切り欠きプリズムＰＲｋ（ｋ＝１，２，３・・・ｎ），ＰＬｋ（ｋ＝１，２，３・・・ｍ）について、特に各々が離隔して配置された切り欠きプリズムを離隔プリズムと記載しているが、単に切り欠きプリズムと記載されている箇所についても離隔プリズムの概念を含む場合もある。
【００５１】
（１）隣接する切り欠きプリズム間の間隔
本発明では、まず、中央切り欠きプリズムＰ０を中心にして外側に位置する切り欠きプリズムＰＲｋ，ＰＬｋほど隣接するプリズム間の間隔が広くなるようにプリズム位置を設定している。
すなわち、本実施の形態の入光部１２ａ，１２ｂ，１２ｃ（以下、代表して示す場合は単に１２の符号で示す。）では、図３に示すように、プリズム間の間隔ＤＲ（ｋ，ｋ＋１），ＤＬ（ｋ，ｋ＋１）が、ＤＲ（０，１）＜ＤＲ（１，２）＜ＤＲ（２，３）・・・及びＤＬ（０，１）＜ＤＬ（１，２）＜ＤＬ（２，３）・・・を満足するように設定している。
ここで、プリズム間の間隔ＤＲ（ｋ，ｋ＋１）は、中央プリズムＰ０の右側ｋ番目に位置する切り欠きプリズムＰＲｋとそれと隣接する外側に位置する切り欠きプリズムＰＲｋ＋１との間の間隔を示し、プリズム間の間隔ＤＬ（ｋ，ｋ＋１）は、中央プリズムＰ０の左側ｋ番目に位置する切り欠きプリズムＰＬｋとそれと隣接する外側に位置する切り欠きプリズムＰＬｋ＋１との間の間隔を示す。
【００５２】
以上のように構成された入光部１２は、図４に示すように、より効果的に光を広げて導光板１内に入光させることができる。
すなわち、図４に示すように、光源から出た光Ｌ１は、光源の発光中心から離れた位置にある切り欠きプリズムＰＬｋに対しては、発光中心からの距離が大きいほど入射端面３に対する入射角が大きくなるように斜めに導光板内に入光される。
従って、本実施の形態のように、光源の発光中心から離れた位置にある切り欠きプリズムＰＬｋと外側に隣接する切り欠きプリズムＰＬｋ＋１の距離を大きく設定すると、切り欠きプリズムＰＬｋの外側入射面ＦＬｏ（ｋ）から入射された光が、切り欠きプリズムＰＬｋ＋１の内側入射面ＦＬｉ（ｋ＋１）によって反射される割合を小さくできる。
【００５３】
これに対して、従来例のように光源の発光中心から離れた位置にある隣接する１対の切り欠きプリズム間の間隔を中央よりに位置するものと同様に設定する（切り欠きプリズム間の距離を一定に設定する）と、光源の発光中心から離れた位置にある一対の切り欠きプリズム間において、一方の切り欠きプリズムの外側入射面から入射された光Ｌ２が、他方の切り欠きプリズムの内側入射面によって反射される割合が高くなる（図５）。
【００５４】
言いかえると、本発明では、隣接する切り欠きプリズムの間の間隔を、そのうちの内側に位置する切り欠きプリズム（一方の切り欠きプリズム）の外側入射面から入射された光が他方の切り欠きプリズムの内側入射面によって反射される割合が小さくなるように、その隣接する一対の切り欠きプリズムの発光中心からの距離に応じて設定したものである。
【００５５】
（２）各切り欠きプリズムにおける、外側入射面と内側入射面の入射端面に対する角度
また、本実施の形態の導光板の入光部１２では、より好ましい形態として、各切り欠きプリズムにおける、外側入射面と内側入射面の入射端面３に対する角度を次のように設定している。
すなわち、本実施の形態の入光部１２では、外側に位置する切り欠きプリズムほど、外側入射面と入射端面３に垂直な面との角度が小さくなるように、かつ内側入射面の入射端面３に垂直な面との角度が大きくなるように設定している。
尚、本明細書において、外側入射面及び内側入射面の角度を入射端面３に対する角度で示す場合は、切り欠きプリズムの三角形の断面における内角で示すものとする。従って、外側入射面と内側入射面の上述の特徴を入射端面に対する角度で表現すると、外側入射面と入射端面とのなす角度は中央切り欠きプリズムＰ０から離れて位置する切り欠きプリズムほど大きくなるように設定され、内側入射面と入射端面とのなす角度は中央切り欠きプリズムから離れて位置する切り欠きプリズムほど小さくなるように設定されているということになる。
【００５６】
図３に示した符号を用いて表すと、中央切り欠きプリズムＰ０の入射面の入射端面３に垂直な面に対する角度をθｃとすると、切り欠きプリズムＰＬ１，ＰＬ２，ＰＬ３・・・の各内側入射面ＦＬｉ（１），ＦＬｉ（２），ＦＬｉ（３）・・・の角度θＬｉ（１），θＬｉ（２），θＬｉ（３），・・・は、θｃ＜θＬｉ（１）＜θＬｉ（２）＜θＬｉ（３）・・・を満足するように設定し、切り欠きプリズムＰＲ１，ＰＲ２，ＰＲ３・・・の各内側入射面ＦＲｉ（１），ＦＲｉ（２），ＦＲｉ（３）・・・の角度θＲｉ（１），θＲｉ（２），θＲｉ（３），・・・は、θｃ＜θＲｉ（１）＜θＲｉ（２）＜θＲｉ（３）・・・を満足するように設定する。
【００５７】
また、切り欠きプリズムＰＬ１，ＰＬ２，ＰＬ３・・・の各外側入射面ＦＬｏ（１），ＦＬｏ（２），ＦＬｏ（３）・・・の角度θＬｏ（１），θＬｏ（２），θＬｏ（３），・・・は、θｃ＞θＬｏ（１）＞θＬｏ（２）＞θＬｏ（３）・・・を満足するように設定し、切り欠きプリズムＰＲ１，ＰＲ２，ＰＲ３・・・の各外側入射面ＦＲｏ（１），ＦＲｏ（２），ＦＲｏ（３）・・・の角度θＲｏ（１），θＲｏ（２），θＲｏ（３），・・・は、θｃ＞θＲｏ（１）＞θＲｏ（２）＞θＲｏ（３）・・・を満足するように設定する。
【００５８】
以上のように構成された入光部１２は、図６に示すように、よりいっそう効果的に光を広げて導光板１内に入光させることができる。
すなわち、図６に示すように、光源の発光中心から離れた位置にある切り欠きプリズムＰＬｋの方向に放射された光源からの光Ｌ１が、切り欠きプリズムＰＬｋの外側入射面ＦＬｏ（ｋ）から入射された場合に、その入射光Ｌ３が隣の切り欠きプリズムＰＬｋ＋１の内側入射面ＦＬｉ（ｋ＋１）によって反射される確率を小さくできる（各切り欠きプリズムの内側入射面の角度と外側入射面の角度とを上述のように設定しない場合、例えば、内側入射面の角度と外側入射面の角度とを全てのプリズムにおいて同一になるように設定した場合は、図６において点線で示すように、隣接する切り欠きプリズムＰＬｋ＋１の内側入射面ＦＬｉ（ｋ＋１）によって反射される確率が増加する。）。
【００５９】
言いかえると、本発明では、切り欠きプリズムの内側入射面の角度と外側入射面の角度を、隣接する一対の切り欠きプリズムにおいて内側に位置する切り欠きプリズム（一方の切り欠きプリズム）の外側入射面から入射された光が他方の切り欠きプリズムの内側入射面によって反射される割合が小さくなるように、その２つの切り欠きプリズムの発光中心からの距離に応じて設定したものである。
【００６０】
（３）各切り欠きプリズムにおける外側入射面及び内側入射面がなす角度
また、本実施の形態の入光部１２は、図１０、図１１、図１８、図１９のように、発光中心から離れるにしたがって、外側入射面ＦＬｏ（ｋ）、ＦＲｏ（ｋ）及び内側入射面ＦＬｉ（ｋ）、ＦＲｉ（ｋ）による切り欠きプリズムの角度が変化するように設定されてもよい。好ましくは、本実施の形態の入光部１２において、図１１や図１９に示すように、切り欠きプリズムＰＲｋ，の内側入射面ＦＲｉ（ｋ）及び外側入射面ＦＲｏ（ｋ）からなる角度θＰＲｋ，は、それぞれＰ０＜ＰＲ１＜ＰＲ２＜ＰＲ３・・・を満足するように設定し、切り欠きプリズムＰＬｋの内側入射面ＦＬｉ（ｋ）及び外側入射面ＦＬｏ（ｋ）からなる角度θＰＬｋは、それぞれＰ０＜ＰＬ１＜ＰＬ２＜ＰＬ３・・・を満足するように設定する。また、このような角度設定に伴い、切り欠きプリズムの開口部ｗがそれぞれ同一の幅を有する場合、切り欠きプリズムの切り欠き深さ（切り欠きプリズムの外側入射面と内側入射面とによる頂部から入射端面までの高さ）ｈはｈ０＞ｈＲ１＞ｈＲ２＞ｈＲ３・・・及びｈ０＞ｈＬ１＞ｈＬ２＞ｈＬ３・・・となる。尚、切り欠きプリズムの内側入射面ＦＲｉ（ｋ＋１），ＦＬｉ（ｋ＋１）と入射端面ＤＲ（ｋ、ｋ＋１），ＤＬ（ｋ、ｋ＋１）に垂直な面とのなす角度θＲｉ（ｋ＋１），θＬｉ（ｋ＋１）、及び切り欠きプリズムの外側入射面ＦＲｏ（ｋ＋１），ＦＬｏ（ｋ＋１）と入射端面ＤＲ（ｋ＋１、ｋ＋２），ＤＬ（ｋ＋１、ｋ＋２）に垂直な面とのなす角度θＲｏ（ｋ＋１），θＬｏ（ｋ＋１）は同一とする。
【００６１】
以上のように構成された入光部１２についても、効果的に光を横方向（光源の光軸に対して垂直方向）へ入光させることができる。
すなわち、本実施の形態の入光部１２において、外側に位置する切り欠きプリズムほど、切り欠きプリズムの角度θＰＬｋ，θＰＲｋが大きくなるように設定されることで、切り欠きプリズムの切り欠き深さが小さくなるため、隣接する一対の切り欠きプリズムにおいて、内側に位置する切り欠きプリズムの外側入射面から入射された光が他方の切り欠きプリズムの内側入射面によって反射される割合が小さくなる。
【００６２】
また、上記したように、隣接するプリズムの間隔ＤＬ（ｋ，ｋ＋１）、ＤＲ（ｋ，ｋ＋１）を変化させる、特に中央切り欠きプリズムを中心として外側に位置する切り欠きプリズムほど隣接するプリズム間の間隔を広くなるように隣接するプリズムの間隔を変化させることで、本実施の形態において、外側に位置する切り欠きプリズムほど、切り欠きプリズムの角度が小さくなるように設定しても、本発明の効果を得ることができる。すなわち、本実施の形態の入光部１２では、図１０に示すように、切り欠きプリズムＰＲｋ，の内側入射面ＦＲｉ（ｋ）及び外側入射面ＦＲｏ（ｋ）からなる角度θＰＲｋ，は、それぞれＰ０＞ＰＲ１＞ＰＲ２＞ＰＲ３・・・を満足するように設定し、切り欠きプリズムＰＬｋの内側入射面ＦＬｉ（ｋ）及び外側入射面ＦＬｏ（ｋ）からなる角度θＰＬｋは、それぞれＰ０＞ＰＬ１＞ＰＬ２＞ＰＬ３・・・を満足するように設定する。また、このような角度設定に伴い、切り欠きプリズムの開口部がそれぞれ同一の幅を有する場合、切り欠きプリズムの切り欠き深さ（切り欠きプリズムの外側入射面と内側入射面とによる頂部から入射端面までの高さ）ｈはｈ０＜ｈＲ１＜ｈＲ２＜ｈＲ３・・・及びｈ０＜ｈＬ１＜ｈＬ２＜ｈＬ３・・・となる。尚、切り欠きプリズムの内側入射面ＦＲｉ（ｋ＋１），ＦＬｉ（ｋ＋１）と入射端面ＤＲ（ｋ、ｋ＋１），ＤＬ（ｋ、ｋ＋１）とのなす角度θＲｉ（ｋ＋１），θＬｉ（ｋ＋１）、及び切り欠きプリズムの外側入射面ＦＲｏ（ｋ＋１），ＦＬｏ（ｋ＋１）と入射端面ＤＲ（ｋ＋１、ｋ＋２），ＤＬ（ｋ＋１、ｋ＋２）とのなす角度θＲｏ（ｋ＋１），θＬｏ（ｋ＋１）は同一とする。
【００６３】
このように、中心切り欠きプリズムＰ０から離れた位置にある切り欠きプリズムＰＲｋ，ＰＬｋほど切り欠き深さｈＲｋ、ｈＬｋが大きくなっても、隣りあう切り欠きプリズムの間隔ＤＬ（ｋ，ｋ＋１）、ＤＲ（ｋ，ｋ＋１）を、中央切り欠きプリズムを中心として外側に位置する切り欠きプリズムほど間隔が広くなるようにしているため、外側切切り欠きプリズムの内側入射面によって、隣接する切り欠きプリズムの外側入射面から入射した光の進行が遮られることを抑制することができる。さらに、外側に位置する切り欠きプリズムの角度θＰＬｋ、θＰＲｋが小さくなることで、図２６に示すように、外側入射面ＦＬｏ、ＦＲｏの垂線よりも下方（入光部の中心からより離れた入射端面ＤＬ（ｋ、ｋ＋１）、ＤＲ（ｋ、ｋ＋１）側）から光を入射させることで、光が垂線寄りに屈折することから、より光軸に対して略垂直方向へ光を屈折させて拡げることができる。他方、図２７のように、外側に位置する切り欠きプリズムの角度θＰＬｋ、θＰＲｋが大きくなると、外側入射面ＦＬｏ、ＦＲｏの垂線よりも上方（入光部の中心からより近い入射端面ＤＬ（ｋ−１、ｋ）、ＤＲ（ｋ−１、ｋ）側）から光が入射するため、光軸に対して略垂直方向へ屈折させることが難しくなる。
【００６４】
（４）各切り欠きプリズム開口部の幅
また、本実施の形態の入光部１２は、図１４、図１５、図２２、図２３のように、複数の切り欠きプリズムのそれぞれが、相似形状からなり、切り欠きプリズムの開口部の幅が変化するように設定されていてもよい。
好ましくは、本実施の形態の入光部１２において、図１４、図２３のように切り欠きプリズムＰＲｋ，ＰＬｋは、中央切り欠きプリズムＰ０を中心として左右両側に、中央切り欠きプリズムＰ０から離れるにしたがって、相似形状で小さくなり、切り欠きプリズムの開口部ｗはｗ０＞ｗＲ１＞ｗＲ２＞ｗＲ３・・・及びｗ０＞ｗＬ１＞ｗＬ２＞ｗＬ３・・・を満足するように設定する。また、切り欠きプリズムの切り欠き深さｈはｈ０＞ｈＲ１＞ｈＲ２＞ｈＲ３・・・及びｈ０＞ｈＬ１＞ｈＬ２＞ｈＬ３・・・を満足するように設定する。  
【００６５】
以上のように構成された入光部についても、効果的に光を拡げることができる。すなわち、中心切り欠きプリズムＰ０を中心として、左右両側に相似形状で小さくなることで、隣接する一対の切り欠きプリズムにおいて、内側に位置する切り欠きプリズムの外側入射面から入射された光が他方の切り欠きプリズムの内側入射面によって反射される割合が小さくなる。
さらに、上述したように、隣接する切り欠きプリズムの間隔を設ける、特に中央切り欠きプリズムＰ０を中心として外側に位置する切り欠きプリズムほど隣接するプリズムの間隔を広くなるようにして変化させることで、さらに効果を高めることができる。また本実施の形態の場合、図１４に示すように、中央切り欠きプリズムＰ０を中心として外側に位置する切り欠きプリズムＰＬｋ、ＰＲｋほど隣接する切り欠きプリズムの間隔ＤＬ（ｋ，ｋ＋１）、ＤＲ（ｋ，ｋ＋１）を狭くなるように設定しても、良好な効果を得ることができる。すなわち、隣接する一対の切り欠きプリズムにおいて、内側に位置する切り欠きプリズムの外側入射面から入射された光が他方の切り欠きプリズムの内側入射面によって反射される割合を比較的小さくすることができる。
【００６６】
また、図１５のように発光中心から離れるほど隣接するプリズム間を広くすることで、中心切り欠きプリズムを中心として、左右両側に相似形状で大きくなるように設定することもできる。すなわち、本実施の形態の入光部１２では、切り欠きプリズムＰＲｋ，ＰＬｋは、中央切り欠きプリズムＰ０を中心として左右両側に、相似形状で大きくなるように、切り欠きプリズムの開口部ｗはｗ０＜ｗＲ１＜ｗＲ２＜ｗＲ３・・・及びｗ０＜ｗＬ１＜ｗＬ２＜ｗＬ３・・・を満足するように設定する。また、切り欠きプリズムの切り欠き深さｈはｈ０＜ｈＲ１＜ｈＲ２＜ｈＲ３・・・及びｈ０＜ｈＬ１＜ｈＬ２＜ｈＬ３・・・を満足するように設定する。
このように、中央切り欠きプリズムＰ０を中心として、左右両側に相似形状で大きくなると、隣接する一対の切り欠きプリズムにおいて、内側に位置する切り欠きプリズムの外側入射面から入射された光が他方の切り欠きプリズムの内側入射面によって反射される割合は大きくなるが、中央切り欠きプリズムを中心とし、切り欠きプリズムの間隔を徐々に拡げていくことで、反射される光の割合を小さくすることができる。さらにこのような形態の場合、導光板の隅部や光源間の暗部側に位置する中心切り欠きプリズムから離れた外側切り欠きプリズムが、より大きい形状を有していることで、外側切り欠きプリズムの外側入射面に対して、より多くの光を入射させることもできるため、効果的に光を光軸に対して略垂直な方向に拡げることが可能となる。
【００６７】
（５）中央切り欠きプリズム開口部の幅と中央切り欠きプリズムに隣接する切り欠きプリズムとの間隔の関係
本実施の形態の入光部は、図１６のように、発光中心と対向して位置する中央切り欠きプリズムＰ０の開口部の幅ｗ０と中央切り欠きプリズムと隣りあう切り欠きプリズムＰＲ１、ＰＬ１と中央切り欠きプリズムＰ０との間隔ＤＲ（０，１）、ＤＬ（０，１）を略同一にしてもよい。また、中央切り欠きプリズムＰ０の開口部の幅ｗ０を、中央切り欠きプリズムと隣りあう２つの切り欠きプリズムＰＲ１、ＰＬ１と中央切り欠きプリズムＰ０との間隔ＤＲ（０，１）、ＤＬ（０，１）より大きくすることもできるが、図１７のように、小さくすることで、より均一な面発光を得ることが可能となる。
中央切り欠きプリズムＰ０に入射される光は、光源から略光軸方向へ進行する光が比較的多いため、これらの光を光軸と略垂直方向へ方向転換させると、導光板の先端部である対向端面１１ｂにまで到達する光の量が少なくなってしまうため、光源付近が他の部分と比較して顕著に明るくなるなどして、好ましい面発光を得ることができない場合がある。そのため、上記のように、中央切り欠きプリズム開口部の幅ｗ０を中央切り欠きプリズムＰ０に隣接する切り欠きプリズムＰＬ１，ＰＲ１との間隔に対して略同一、もしくは小さくすることで、このような問題を回避することができる。
【００６８】
（６）発光中心と対向配置される平坦部
以上説明した本実施の形態の導光板は、本実施の形態の導光板の入光部１２において、隣接する２つの切り欠きプリズム間の平坦部Ｄ（０）が、発光中心と対向して配することもできる。すなわち、図９、図１２、図１３、図２０、図２１、図２４、図２５に示すように、入光部１２において、中央切り欠きプリズムＰ０は存在せず、中央切り欠きプリズムＰ０の換わりに配置される平坦部Ｄ（０）を中心として左右両側に複数の切り欠きプリズムＰＲｋ，ＰＬｋがそれぞれ配置される。このような場合、切り欠きプリズムＰＬ１及びＰＲ１は、平坦部Ｄ（０）と隣接してが配置する。
このような形態とすることで、発光中心と対向する入光部１２に、平坦部Ｄ（０）が配されるため、光源から光軸方向へ進行する光は、導光板の先端部にまで導くことができる。さらに平坦部Ｄ（０）を中心として左右両側に切り欠きプリズムＰＲｋ，ＰＬｋが配置されることによって、入射端面に対して入射角の大きい光を効率よく導光板幅方向へ拡げることができる。また、発光中心から比較的離れた入射端面３において、入射角が大きい光を導光板の幅方向へ光を拡げることができる。
尚、発光中心と対向配置され、入光部の入射端面からなる平坦部Ｄ（０）の幅は、所望の発光面を得るために光源の有する指向性や光量、その他の発光特性を考慮し、適宜決定することができる。
【００６９】
以上説明したように、本実施の形態の導光板は、その入光部１２において、中央切り欠きプリズムＰ０を中心にして外側に位置する切り欠きプリズムＰＲｋ，ＰＬｋほど隣接するプリズム間の間隔が広くなるようにプリズム位置を設定しているので、入射される光を効果的に拡散させて入光させることができ、発光面１１の入射端面３近傍に形成される暗部（図１において５０の符号を付して破線により示す部分）を極めて小さくできる。
【００７０】
また、本実施の形態の導光板は、その入光部１２において、外側入射面と入射端面とのなす角度は中央切り欠きプリズムＰ０から離れて位置する切り欠きプリズムほど大きくなるように設定され、内側入射面と入射端面とのなす角度は中央切り欠きプリズムから離れて位置する切り欠きプリズムほど小さくなるように設定されているので、入射される光をより効果的に拡散させて入光させることができ、発光面１１の入射端面３近傍に形成される暗部をよりいっそう小さくできる。
【００７１】
また、本実施の形態の導光板は、入光部１２において、外側入射面と内側入射面とによる切り欠きプリズムの角度が変化する、好ましくは外側入射面と内側入射面とによる切り欠きプリズムの角度が中央切り欠きプリズムＰ０から離れて位置する切り欠きプリズムほど大きくなるように設定されてもよい。このような形態によっても入射される光を遮ることなく効果的に拡げることができ、発光面１１の入射端面３近傍に形成される暗部をなくすることができる。
【００７２】
また、本実施の形態の導光板は、入光部１２において、切り欠きプリズムがそれぞれ相似形状からなり、切り欠きプリズムの開口部の幅が変化する、好ましくは、中央切り欠きプリズムＰ０から離れて位置する切り欠きプリズムほど小さくなるように設定されてもよい。このような形態によっても入射される光を遮ることなく効果的に拡げることができ、発光面１１の入射端面３近傍に形成される暗部をなくすることができる。
【００７３】
また、本実施の形態の導光板は、入光部１２において、中央切り欠きプリズムの開口部の幅ｗ０と中央切り欠きプリズムＰ０と隣接する切り欠きプリズムＰＬ１、ＰＲ２との間隔ＤＬ（０，１）、ＤＲ（０，１）を略同一、または中央切り欠きプリズムの開口部の幅ｗ０を中央切り欠きプリズムと隣接する切り欠きプリズムとの間隔ＤＬ（０，１）、ＤＲ（０，１）より小さいものとなるよう設定されていると、さらに効果的に均一な面発光を得ることができる導光板とすることができる。
【００７４】
また、本実施の形態の導光板は、入光部１２において、発光中心と対向する入光部の中央部に平坦部Ｄ（０）が設けられ、平坦部を中心として左右両側に切り欠きプリズムが配置されるよう設定されていると、光源から光軸方向へ直進する充分な量の光を導光板先端部の対向端面にまで導くことができる。
【００７５】
本発明の発光装置は上述のように、導光板の形状や光源が有する指向性に合わせて、切り欠きプリズムの最も適切な形状や、最も良好な間隔を選択して、より効果的に入射光を導光板の全面に拡げるように構成できる。この場合、切り欠きプリズムの数を増やして側壁を増やすと光をより複雑に拡散させることができ、輝度の均一性を向上させることができるが、金型構造が複雑となり、その結果その金型により作製される導光板の入射端面の形状が一定しなくなる等の問題も生じることがある。そのため、使用目的による要求仕様に加え、製造条件も考慮して用いる形状を選択することが好ましい。すなわち、本発明では種々の形状を選択することができるので、どの形状の切り欠きを選択するかは、導光板の大きさや、用いる光源の個数やその指向性等に加え、目的とする性能、金型の作製上の制約及び成形精度等についても総合的に検討して決定することができる。
【００７６】
さらに、本実施の形態では、本発明のより好ましい形態として、発光面を構成しない光導入部１２を形成して、光導入部１２の上面を覆う遮光部を形成している。
これにより、切り欠きプリズムの直上からの光の漏れを防止でき、発光面１１における光の均一性を向上させることができる。
【００７７】
また、本発明の導光板では、反射面及び発光面のいずれか一方又は双方に、発光面の光度をより均一にするようにその密度が設定された複数のドットからなるシボやプリズム列などの表面加工を施すこともできる。ここで、ドットとは、光を散乱させるために反射面等に形成される多数の凹部又は凸部等であり、その密度に対応させて発光面の輝度分布をを調整することができる。例えば、ドットの密度又はドットが占める面積を光源から離れるにしたがって順次増加させると、発光面内における輝度の均一化が図れる。また、ドットの形状は単純な凹部又は凸部だけではなく、より効果的に光を散乱させるために、凹部の底面の中央部が盛り上がったものや凸部の周囲が窪んだものなど種々の形状のものが適用できる。
また、ドットの配列は所定の密度となるように規則的に配列してもよいし、ランダムに配列してもよいし、さらにそれらを組み合わせたドットパターンとしてもよい。
【００７８】
以上の実施の形態では、三角柱切り欠きプリズムを用いた例により説明した。しかしながら、本発明はこれに限られるものではなく、図７に示す三角錐切り欠きプリズムＰ１００を用いて構成してもよい。
三角柱切り欠きプリズムと三角錐切り欠きプリズムとの間には、以下のような作用効果上の相違がある。
三角柱切り欠きプリズムは、光源からの光を横方向（左右）に拡散させる効果は顕著である。
従って、この三角柱切り欠きプリズムと、外側に位置する切り欠きプリズムＰＲｋ，ＰＬｋほど隣接するプリズム間の間隔が広くなるようにプリズム位置を設定するという本願に特有の構成を組み合わせるとより良好な光の拡散効果が得られる。これに加えてさらに、外側に位置する切り欠きプリズムほど、外側入射面と入射端面３に垂直な面との角度が小さくなるように、かつ内側入射面の入射端面３に垂直な面との角度が大きくなるように設定するという構成を追加すると、よりいっそう良好な光拡散効果が得られる。
【００７９】
これに対して、三角錐切り欠きプリズムは、三角柱切り欠きプリズムほどは、光源からの光を横方向（左右）に拡散させる効果が顕著ではない。
しかしながら、三角錐切り欠きプリズムは、図７に示すように、発光面側の主面側では貫通していないので、発光面側の主面から光が漏れを少なくできる。
従って、例えば、光導入部１２を形成するスペースが無い面発光装置に適している。
また、三角錐切り欠きプリズムはそれ自体では、三角柱切り欠きプリズムほどは、光源からの光を横方向（左右）に拡散させる効果が顕著ではないが、外側に位置する切り欠きプリズムほど隣接するプリズム間の間隔が広くなるようにプリズム位置を設定するという本願に特有の構成を組み合わせると良好な光の拡散効果が得られる。
言ってみれば、本発明の特有の構成によれば、三角錐切り欠きプリズムの光拡散能力の不足を補うことができる。
【００８０】
以下、本実施の形態の面発光装置における各要素に関する好ましい材料等について説明する。
【００８１】
（導光板）
本発明において導光板に用いられる材料としては、光透過性、成形性に優れたものを用いることが好ましく、アクリル樹脂、ポリカーボネート樹脂、シクロオレフィンポリマー、ポリスチレン樹脂、ファンクショナルノルボルネン系樹脂等が挙げられる。これらの導光板用の材料はそれぞれ屈折率が異なるが、導光板の入射端面に形成する切り欠きプリズムの角度や数等を選定することによって、光の拡散を制御することができるので、屈折率により制約を受けることはない。  また、導光体の形状は、用途に応じて任意の形状とすることができる。
【００８２】
（光源）
本発明の面発光装置において、光源は１つであってもよいし、２以上であってもよく、一般的には、発光ダイオード（ＬＥＤ素子）を用いる。ＬＥＤ素子と導光板の入射端面に形成した切り欠きプリズムとを位置決めして固定させるために、例えば樹脂成形体からなる支持体を用い、これにＬＥＤ素子の光出射面が導光板の入光部と対向するようにＬＥＤ素子を配置する。ＬＥＤ素子は、半導体素子と、これを被覆する透光性樹脂とを有しており、透光性樹脂は半導体素子から発生する光を吸収してその吸収した光とは異なる波長の光を発生する蛍光体を含有させることができる。半導体素子から発生する光が紫外線の場合は、この紫外線によって励起されて紫外線または可視光を発生する蛍光体を用いることができるし、あるいは、可視光の発光が可能な半導体素子を用いてもよいし、さらには、この半導体素子からの可視光を吸収してそれよりも長波長の可視光が発光可能な蛍光物質とを組み合わせてもよい。半導体素子を蛍光体と組み合わせて用いると、様々な色調の混合色を発光させることが可能となり、さらに上述の切り欠きプリズムから光を入射させることで、混色性も良くすることができる。
【００８３】
（半導体素子）
また、半導体素子としては、例えば、窒化物系化合物半導体（一般式ＩｎｉＧａｊＡｌｋＮ、但し、０≦ｉ、０≦ｊ、０≦ｋ、ｉ＋ｊ＋ｋ＝１）を用いて構成した素子を用いることができる。また、窒化物系化合物半導体としては、ＩｎＧａＮや各種不純物がドープされたＧａＮをはじめ、種々のものがある。この半導体素子は、ＭＯＣＶＤ法等により基板上にＩｎＧａＮやＧａＮ等の半導体を発光層として成長させることにより形成する。半導体素子の構造としては、ＭＩＳ接合、ＰＩＮ接合やｐｎ接合などを有すホモ構造、ヘテロ構造あるいはダブルヘテロ構造のものが挙げられる。この窒化物半導体層は、その材料やその混晶度によって発光波長を種々選択することができる。また、半導体活性層を量子効果が生ずる薄膜で形成した単一量子井戸構造や多量子井戸構造とすることもできる。
【００８４】
（蛍光物質）
本発明に用いられる蛍光物質は、上記したようにＬＥＤ素子からの光の波長を変換させるものであり、樹脂成形体からなる支持体内に載置されたＬＥＤ素子を被覆する透光性樹脂に蛍光物質を含有させることで、支持体外部へ出射される光を変換可能である。ＬＥＤ素子からの光がエネルギーの高い短波長の可視光の場合、有機蛍光体であるペリレン形誘導体やＺｎＣｄＳ：Ｃｕ、ＹＡＧ：ＣｅやＥｕ及び／又はＣｒで付活された窒素含有ＣａＯ−Ａｌ２Ｏ３−ＳｉＯ２などの無機蛍光体など種々好適に用いられる。特にＹＡＧ：Ｃｅ蛍光体を利用した場合は、その含有量によって青色発光を有するＬＥＤ素子からの光と、その光を一部吸収して補色となる黄色系が発光可能となり白色系が比較的簡単に信頼性良く形成できるため好ましい。同様に、Ｅｕ及び／又はＣｒで付活された窒素含有ＣａＯ−Ａｌ２Ｏ３−ＳｉＯ２蛍光体を利用した場合は、その含有量によって青色光と、その光を一部吸収して補色となる赤色系が発光可能であるため、白色系が比較的簡単に信頼性よく形成でき好ましい。
【００８５】
以上の実施の形態では、入光部における左右の切り欠きプリズムの数ｎ，ｍを同じにした（ｎ＝ｍ）が、本発明はこれに限られるものではなく、左右の切り欠きプリズムの数ｎ，ｍが異なっていてもよい（ｎ≒ｍやｎ≠ｍであってもよい。）。
【００８６】
次に、本発明に係る実施例の面発光装置の導光板について説明する。しかしながら、本発明はこれに限定されない。
【実施例１】
【００８７】
実施例１として、図１に示す導光板を作製した。
本実施の形態の導光板１は、入射側端面１１ａと対向端面１１ｂの長さが約４６ｍｍ、側面１１ｃ，１１ｄの長さが約３４ｍｍに設定されており、入射側端面１１ａから約３ｍｍ外側に突出した入射端面３を有している。この入射端面３の幅は、約３０ｍｍであり、その入射端面３に入光部１２ａ，１２ｂ，１２ｃを形成した。
また、入光部１２ａ，１２ｂ，１２ｃはそれぞれ、１１個の外側入射面と内側入射面の長さが等しい二等辺三角形形状からなる三角柱切り欠きプリズムＰ０，ＰＬ１，ＰＬ２，ＰＬ３，ＰＬ４，ＰＬ５，ＰＲ１，ＰＲ２，ＰＲ３，ＰＲ４，ＰＲ５により構成し、詳細形状及び位置関係は以下の表１及び表２に示すようにした。
【００８８】
[表１]
2005071971.tif 000003
表１中、括弧（）内に示す角度は、入射端面３に対する角度である。
【００８９】
[表２]
（隣接切り欠きプリズム間隔）
2005071971.tif 000004
【００９０】
また、各切り欠きプリズムの開口部の幅は、０．１１ｍｍとし、切り欠き深さｈは、０．０９５ｍｍとした。
以上のように構成した実施例１の面発光装置の導光板を用いて、入光部１２ａ，１２ｂ，１２ｃに対向してそれぞれ発光ダイオードを設けて面発光装置を作製して発光面における発光の様子を観測した結果、図８の写真（入光部付近のみを表し、他の部分についてはマスクで覆っている）に示すように、入射側端面近傍の暗部を小さくできた。
尚、本実施例において、導光板の反射面（発光面に対向する他方の主面）の入射側端面に近い側（入射側端面から所定の距離の部分）にブラスト加工を施した。
【実施例２】
【００９１】
図１０に実施例２の導光板の入光部に係る模式的平面図を示す。
本実施例の導光板１は、実施例１と同様に、入射側端面１１ａと対向端面１１ｂの長さが約４６ｍｍ、側面１１ｃ，１１ｄの長さが約３４ｍｍに設定されており、入射側端面１１ａから約３ｍｍ外側に突出した入射端面３を有している。この入射端面３の幅は、約３０ｍｍであり、その入射端面３に入光部１２ａ，１２ｂ，１２ｃを形成する。
また、入光部１２ａ，１２ｂ，１２ｃはそれぞれ、１１個の外側入射面と内側入射面の長さが等しい二等辺三角形形状からなる三角柱切り欠きプリズムＰ０，ＰＬ１，ＰＬ２，ＰＬ３，ＰＬ４，ＰＬ５，ＰＲ１，ＰＲ２，ＰＲ３，ＰＲ４，ＰＲ５により構成し、詳細形状及び位置関係は以下の表３及び表４に示すようにする。
【００９２】
[表３]
2005071971.tif 000005
【００９３】
[表４]
（隣接切り欠きプリズム間隔）
2005071971.tif 000006
【００９４】
また、中央切り欠きプリズムを含む各切り欠きプリズムの開口部の幅は０．１０ｍｍとする。
以上のように構成した実施例２の面発光装置の導光板を用いると、入射面側側端面近傍や光源間の暗部を小さくすることができる。
【実施例３】
【００９５】
図１４に実施例３の導光板の入光部に係る模式的平面図を示す。
本実施例の導光板１は、実施例１と同様に、入射側端面１１ａと対向端面１１ｂの長さが約４６ｍｍ、側面１１ｃ，１１ｄの長さが約３４ｍｍに設定されており、入射側端面１１ａから約３ｍｍ外側に突出した入射端面３を有している。この入射端面３の幅は、約３０ｍｍであり、その入射端面３に入光部１２ａ，１２ｂ，１２ｃを形成する。
また、入光部１２ａ，１２ｂ，１２ｃはそれぞれ、９個の外側入射面と内側入射面の長さが等しい二等辺三角形形状からなる三角柱切り欠きプリズムＰ０，ＰＬ１，ＰＬ２，ＰＬ３，ＰＬ４，ＰＲ１，ＰＲ２，ＰＲ３，ＰＲ４により構成し、詳細形状及び位置関係は以下の表５及び表６に示すようにする。
【００９６】
[表５]
2005071971.tif 000007
【００９７】
[表６]
（隣接切り欠きプリズム間隔）
2005071971.tif 000008
【００９８】
以上のように構成した実施例３の面発光装置の導光板を用いると、良好に入射側端面近傍や光源間の暗部を小さくすることができる。
【産業上の利用可能性】
【００９９】
本発明は、面発光装置の導光板と面発光装置に関し、液晶バックライト、パネルメーター、表示灯や面発光スイッチなどに適用可能である。
【図面の簡単な説明】
【０１００】
【図１】本発明に係る実施の形態の平面図である。
【図２】実施の形態の入光部の一部を拡大して示す斜視図である。
【図３】実施の形態の入光部を詳細に示す平面図である。
【図４】実施の形態の入光部の効果を説明するための模式図（その１）である。
【図５】実施の形態の入光部の効果を説明するために比較として用いた模式図である。
【図６】実施の形態の入光部の効果を説明するための模式図（その２）である。
【図７】本発明に係る変形例の入光部を構成する三角錐形状の切り欠きを示す図である。
【図８】実施例の面発光装置の発光面の様子を示す写真である。
【図９】実施の形態の入光部を詳細に示す平面図である。
【図１０】実施の形態の入光部を詳細に示す平面図である。
【図１１】実施の形態の入光部を詳細に示す平面図である。
【図１２】実施の形態の入光部を詳細に示す平面図である。
【図１３】実施の形態の入光部を詳細に示す平面図である。
【図１４】実施の形態の入光部を詳細に示す平面図である。
【図１５】実施の形態の入光部を詳細に示す平面図である。
【図１６】実施の形態の入光部を詳細に示す平面図である。
【図１７】実施の形態の入光部を詳細に示す平面図である。
【図１８】実施の形態の入光部を詳細に示す平面図である。
【図１９】実施の形態の入光部を詳細に示す平面図である。
【図２０】実施の形態の入光部を詳細に示す平面図である。
【図２１】実施の形態の入光部を詳細に示す平面図である。
【図２２】実施の形態の入光部を詳細に示す平面図である。
【図２３】実施の形態の入光部を詳細に示す平面図である。
【図２４】実施の形態の入光部を詳細に示す平面図である。
【図２５】実施の形態の入光部を詳細に示す平面図である。
【図２６】実施の形態の入光部の効果を説明すための模式図（その３）である。
【図２７】実施の形態の入光部の効果を説明するために比較として用いた模式図である。
【符号の説明】
【０１０１】
１…導光板、
２…光源、
３…入射端面、
１１…発光面、
１１ａ…入射側端面、
１１ｂ…対向端面
１１ｃ，１１ｄ…側面、
１２…導入部、
１２ａ，１２ｂ，１２ｃ…入光部、
Ｐ０…中央切り欠きプリズム、
ＰＲｋ（ｋ＝１，２，３・・・ｎ）…右側ｋ番目の切り欠きプリズム、
ＰＬｋ（ｋ＝１，２，３・・・ｍ）…左側ｋ番目の切り欠きプリズム、
Ｆ（０）…中央切り欠きプリズムＰ０の入射面、
ＦＲｉ（ｋ）…右側ｋ番目の切り欠きプリズムの内側入射面、
ＦＬｉ（ｋ）…左側ｋ番目の切り欠きプリズムの内側入射面、
ＦＲｏ（ｋ）…右側ｋ番目の切り欠きプリズムの外側入射面、
ＦＬｏ（ｋ）…左側ｋ番目の切り欠きプリズムの外側入射面、
θＲｉ（ｋ）…右側ｋ番目の切り欠きプリズムの内側入射面と入射端面に垂直な面とのなす角度、
θＬｉ（ｋ）…左側ｋ番目の切り欠きプリズムの内側入射面と入射端面に垂直な面とのなす角度、
θＲｏ（ｋ）…右側ｋ番目の切り欠きプリズムの外側入射面と入射端面に垂直な面とのなす角度、
θＬｏ（ｋ）…左側ｋ番目の切り欠きプリズムの外側入射面と入射端面に垂直な面とのなす角度。
θＰ０…中央切り欠きプリズム外側入射面と内側入射面とによる頂部の角度
θＰＲｋ…右側ｋ番目の切り欠きプリズムの外側入射面ＦＲｏ（ｋ）と内側入射面ＦＲｉ（ｋ）とによる頂部の角度
θＰＬｋ…左側ｋ番目の切り欠きプリズムの外側入射面ＦＬｏ（ｋ）と内側入射面ＦＬｉ（ｋ）とによる頂部の角度
Ｄ（０）…（ＰＲ１とＰＬ１との間の）平坦部
ｗ０…中央切り欠きプリズムの開口部の幅
ｗＲｋ…右側ｋ番目の切り欠きプリズムの開口部の幅
ｗＬｋ…左側ｋ番目の切り欠きプリズムの開口部の幅
ｈ０…中央切り欠きプリズムの高さ（深さ）
ｈＲｋ…右側ｋ番目の切り欠きプリズムの高さ（深さ）
ｈＬｋ…右側ｋ番目の切り欠きプリズムの高さ（深さ）
【図１】
2005071971.tif 000009
【図２】
2005071971.tif 000010
【図３】
2005071971.tif 000011
【図４】
2005071971.tif 000012
【図５】
2005071971.tif 000013
【図６】
2005071971.tif 000014
【図７】
2005071971.tif 000015
【図８】
2005071971.tif 000016
【図９】
2005071971.tif 000017
【図１０】
2005071971.tif 000018
【図１１】
2005071971.tif 000019
【図１２】
2005071971.tif 000020
【図１３】
2005071971.tif 000021
【図１４】
2005071971.tif 000022
【図１５】
2005071971.tif 000023
【図１６】
2005071971.tif 000024
【図１７】
2005071971.tif 000025
【図１８】
2005071971.tif 000026
【図１９】
2005071971.tif 000027
【図２０】
2005071971.tif 000028
【図２１】
2005071971.tif 000029
【図２２】
2005071971.tif 000030
【図２３】
2005071971.tif 000031
【図２４】
2005071971.tif 000032
【図２５】
2005071971.tif 000033
【図２６】
2005071971.tif 000034
【図２７】
2005071971.tif 000035